(57)【要約】【課題】高圧変動があっても画像歪みの発生しないテレビジョン受像機を提供する。【解決手段】映像を表示するＣＲＴと、このＣＲＴの画面に照射される電子ビームを垂直偏向するための垂直ドライブ信号を生成する垂直偏向回路と、ＣＲＴの画面に照射される電子ビームを水平偏向するための水平ドライブ信号を生成する水平偏向回路と、垂直ドライブ信号に基づいて水平ドライブ信号の振幅を補正する水平振幅補正回路とを備え、水平振幅補正回路で水平ドライブ信号の振幅を補正することにより、ＣＲＴの画面両端に生じる画像歪みを是正するようにしたテレビジョン受像機において、水平振幅補正回路８に、垂直ドライブ信号の振幅を一定値に制限するクリップ回路２０を設けた。【選択図】図２
2007243443.tif 000002
【特許請求の範囲】
【請求項１】
映像を表示するＣＲＴ（Ｃａｔｈｏｄｅ  Ｒａｙ Ｔｕｂｅ）と、
前記ＣＲＴの画面に照射される電子ビームを垂直偏向するための垂直ドライブ信号を生成する垂直偏向回路と、
前記ＣＲＴの画面に照射される電子ビームを水平偏向するための水平ドライブ信号を生成する水平偏向回路と、
前記垂直ドライブ信号に基づいて前記水平ドライブ信号の振幅を補正するための水平補正信号を生成する水平振幅補正回路と、
前記水平補正信号のレベルを調整する可変抵抗とを備え、
前記水平補正信号で水平ドライブ信号の振幅を補正することにより、前記ＣＲＴの画面両端に生じる画像歪みを是正するようにしたテレビジョン受像機において、
前記水平振幅補正回路に、前記垂直ドライブ信号の振幅を一定値に制限するクリップ回路を設け、当該クリップ回路は、抵抗と、互いに逆方向に並列接続された一対のダイオードとからなり、
前記可変抵抗は、前記クリップ回路でクリップされた一定レベルの垂直ドライブ信号に対して画像歪みが生じないように調整されていることを特徴とするテレビジョン受像機。
【請求項２】
映像を表示するＣＲＴ（Ｃａｔｈｏｄｅ  Ｒａｙ Ｔｕｂｅ）と、
前記ＣＲＴの画面に照射される電子ビームを垂直偏向するための垂直ドライブ信号を生成する垂直偏向回路と、
前記ＣＲＴの画面に照射される電子ビームを水平偏向するための水平ドライブ信号を生成する水平偏向回路と、
前記垂直ドライブ信号に基づいて前記水平ドライブ信号の振幅を補正する水平振幅補正回路とを備え、
前記水平振幅補正回路で水平ドライブ信号の振幅を補正することにより、前記ＣＲＴの画面両端に生じる画像歪みを是正するようにしたテレビジョン受像機において、
前記水平振幅補正回路に、前記垂直ドライブ信号の振幅を一定値に制限するクリップ回路を設けたことを特徴とするテレビジョン受像機。
【発明の詳細な説明】
【技術分野】
【０００１】
本発明は、ＣＲＴ（Ｃａｔｈｏｄｅ  Ｒａｙ Ｔｕｂｅ）を用いたテレビジョン受像機に関し、特に、大型のＣＲＴにおいて問題となる画像歪みを補正するための補正回路の改良に関する。
【背景技術】
【０００２】
ディスプレイとしてＣＲＴを用いたテレビジョン受像機において、図５に示すように、ＣＲＴの画面５０の両端に、樽形の画像歪み５１が生じることはよく知られている。このような画像歪み５１が生じるのは、ＣＲＴの蛍光面の球面半径が、電子ビームの偏向中心（電子銃）から蛍光面までの半径に比べて大きいことから、電子銃と蛍光面との距離は蛍光面の中央部から外側に向うにつれて長くなるため、蛍光面の中央部付近に照射される電子ビームの経路が短くなって偏向幅が少なくなるからである。画像歪み５１が生じると、ラスタの横幅が不足して見苦しい画面となる。このような画像歪み５１は、特に、大型（例えば２４インチ以上）のＣＲＴを用いた場合に顕著に現われる。
【０００３】
上記のように、画像歪み５１は画面中央部付近におけるビームの偏向不足に基因して発生するので、これを是正するためには、水平偏向回路で生成される水平ドライブ電流を、画面中央部付近において伸張させるようにすればよい。そこで、水平偏向回路に補正回路を付加し、水平ドライブ信号の振幅を補正することにより、画像歪みを解消することが従来から行われている。このような水平ドライブ信号の補正については、例えば、後掲の特許文献１、特許文献２に記載されている。
【０００４】
ところで、ＣＲＴ画面に表示される映像が暗い映像から明るい映像に切り替わると、管内でビーム電流が急に増大して高圧変動が生じ、これが原因でＣＲＴにおける全ての電圧が変動する。この結果、垂直ドライブ信号も影響を受け、ビーム電流が増大すると、垂直ドライブ信号の振幅が大きくなる。したがって、垂直ドライブ信号に基づいて水平ドライブ信号を補正する場合は、垂直ドライブ信号の振幅が大きくなることで、水平ドライブ信号に対して必要以上に補正がかかってしまう。
【０００５】
テレビジョン受像機の製造段階においては、補正回路に設けられた半固定抵抗により、水平ドライブ信号を補正する補正信号の振幅が所定の基準値となるように調整されているが、ユーザでの実使用時において、上記のように映像の輝度変化により垂直ドライブ信号の振幅が増大すると、補正信号の振幅が基準値よりも大きくなる。このため、大きなレベルの補正信号によって補正が効き過ぎ、これが原因で画面端部に画像歪みが発生するという問題がある。前記の特許文献１や特許文献２には、このような問題の対策について開示がされていない。
【０００６】
なお、後掲の特許文献３には、互いに逆方向に並列接続された２つのダイオードを備えた垂直リニアリティ補正回路を設け、垂直偏向回路のインピーダンスを画面の中央付近で小さくすることで、画面中央部に現れる白い帯状部分を低減することが開示されている。しかしながら、この補正回路は垂直偏向回路のインピーダンスを補正するためのものであって、上述したような水平ドライブ信号の振幅を補正するものではなく、また補正回路に備わる２つのダイオードも、合成インピーダンスを小さくするためのもので、後述する本発明のクリップ用のダイオードとは機能が本質的に異なっている。したがって、特許文献３は、上述した問題を解決する糸口とはなり得ない。
【０００７】
【特許文献１】特開平７−９５４３８号公報
【特許文献２】特開２００４−３５０１８０号公報
【特許文献３】特開平１１−３０８６２６号公報
【発明の開示】
【発明が解決しようとする課題】
【０００８】
以上のように、樽形の画像歪みを是正するための補正回路を備えた従来のテレビジョン受像機にあっては、映像の変化による高圧変動に基因して垂直ドライブ信号が変動するため、補正回路による水平ドライブ信号の補正が効き過ぎて、画像歪みが発生するという問題があった。
【０００９】
そこで、本発明の目的は、高圧変動があっても画像歪みの発生しないテレビジョン受像機を提供することにある。
【課題を解決するための手段】
【００１０】
本発明は、映像を表示するＣＲＴと、このＣＲＴの画面に照射される電子ビームを垂直偏向するための垂直ドライブ信号を生成する垂直偏向回路と、ＣＲＴの画面に照射される電子ビームを水平偏向するための水平ドライブ信号を生成する水平偏向回路と、垂直ドライブ信号に基づいて水平ドライブ信号の振幅を補正する水平振幅補正回路とを備え、水平振幅補正回路で水平ドライブ信号の振幅を補正することにより、ＣＲＴの画面両端に生じる画像歪みを是正するようにしたテレビジョン受像機において、水平振幅補正回路に、垂直ドライブ信号の振幅を一定値に制限するクリップ回路を設けたものである。
【００１１】
本発明においては、画面上の映像が暗い映像から明るい映像に切り替わったときに、ビーム電流の増加により高圧変動が生じて垂直ドライブ信号の振幅が大きくなっても、当該振幅はクリップ回路により制限され、垂直ドライブ信号のレベルが一定値に抑えられる。このため、水平ドライブ信号の振幅補正が効き過ぎて画像歪みが生じるのを回避することができる。
【００１２】
本発明の好ましい実施形態では、水平ドライブ信号の振幅を補正するための水平補正信号のレベルを調整する可変抵抗が設けられ、この可変抵抗は、クリップ回路でクリップされた一定レベルの垂直ドライブ信号に対して画像歪みが生じないように調整されている。これにより、映像の輝度変化により垂直ドライブ信号の振幅が変動しても、水平補正信号の振幅は常に可変抵抗で調整された一定値に維持され、画像歪みが発生しなくなる。
【００１３】
また、本発明の好ましい実施形態では、クリップ回路は、抵抗と、互いに逆方向に並列接続された一対のダイオードとから構成される。これによると、簡単な回路によって垂直ドライブ信号のレベルを制限し、画像歪みを防止することができる。
【発明の効果】
【００１４】
本発明によれば、高圧変動に基因して水平ドライブ信号の振幅補正が過剰になり過ぎることがなく、ＣＲＴ画面上で画像歪みのない見やすい映像を得ることができる。
【発明を実施するための最良の形態】
【００１５】
図１は、本発明の実施形態に係るテレビジョン受像機１００の電気的構成を示したブロック図である。１はテレビジョン信号を受信するアンテナ、２はアンテナ１が受信したテレビジョン信号から所定周波数の信号を選択し、これを中間周波信号に変換して取り出すチューナである。３はチューナ２で取り出された信号を処理する信号処理部であって、映像中間周波増幅回路、映像検波回路、映像増幅回路、音声中間周波増幅回路、音声検波回路、音声増幅回路、同期分離回路などの公知の回路を備えている。４は信号処理部３から出力される映像信号に基づいて、画面上に画像を表示するＣＲＴである。
【００１６】
５は垂直偏向回路であって、信号処理部３から出力される垂直同期信号を受けて、ＣＲＴ４内の電子ビームを垂直偏向するための垂直ドライブ信号を生成する。この垂直ドライブ信号は、ＣＲＴ４に備わる垂直偏向コイル（図示省略）に与えられるとともに、後述する水平振幅補正回路８に与えられる。６は水平偏向回路であって、信号処理部３から出力される水平同期信号を受けて、ＣＲＴ４内の電子ビームを水平偏向するための水平ドライブ信号を生成する。この水平ドライブ信号は、水平振幅補正回路８により補正され、ＣＲＴ４に備わる水平偏向コイル（図示省略）に与えられる。また、水平偏向回路６から出力される高圧パルスは、フライバックトランス７に与えられる。フライバックトランス７は、この高圧パルスを昇圧し、ＣＲＴ４のアノード電極に高電圧を印加する。９は信号処理部３から出力される音声信号に基づいて音声を出力するスピーカである。
【００１７】
１０はテレビジョン受像機１００の動作を制御するマイクロコンピュータであって、ＣＰＵ、ＲＯＭ、ＲＡＭ等から構成される。１１はテレビジョン受像機１００のフロントパネルに設けられた操作部であって、各種の操作キーやスイッチ等から構成される。１２は同じくフロントパネルに設けられた表示部であって、ＬＥＤ（発光ダイオード）等から構成される。１３はリモコン（図示省略）から送信される信号を受信するリモコン受信部、１４は外部機器を接続するための外部インターフェイスである。１５は電源トランスや電源回路からなる電源部であって、テレビジョン受像機１００の各部へ必要な電源を供給する。
【００１８】
図２は、図１における水平振幅補正回路８の具体例を示している。図において、Ｑ１〜Ｑ３はトランジスタ、Ｒ１〜Ｒ１５は抵抗、ＶＲは可変抵抗（半固定抵抗）、Ｃ１〜Ｃ４はコンデンサ、Ｄ１〜Ｄ４はダイオード、Ｖｃｃは電源電圧を表している。２０は本発明の特徴をなすクリップ回路である。クリップ回路２０は、抵抗Ｒ１と、互いに逆方向に並列接続された一対のダイオードＤ１、Ｄ２とからなる。
【００１９】
トランジスタＱ１のベースには、クリップ回路２０、抵抗Ｒ２およびダイオードＤ３を介して、垂直偏向回路５（図１）から出力される垂直ドライブ信号が入力される。この垂直ドライブ信号は、図３に示したようなのこぎり波である。トランジスタＱ１と抵抗Ｒ３〜Ｒ７、コンデンサＣ１、Ｃ２で構成される回路は、入力された垂直ドライブ信号に基づいて、水平ドライブ信号の振幅を補正するための補正波、すなわち水平補正信号を生成する。トランジスタＱ１のコレクタから出力される補正信号は、可変抵抗ＶＲおよび抵抗Ｒ１０を介してトランジスタＱ２のベースに入力され、トランジスタＱ２で反転増幅された後、トランジスタＱ３のベースに入力され、トランジスタＱ３でさらに増幅される。
【００２０】
トランジスタＱ３のコレクタから出力される水平補正信号は、図４に示したような波形となる。この水平補正信号は、水平偏向回路６（図１）に与えられる。水平偏向回路６は、上記補正信号に基づき、画面中央部付近において水平ドライブ信号の振幅が伸張するように補正を行い、補正された水平ドライブ信号を水平偏向コイルに供給する。水平ドライブ信号の補正方法については、前掲の特許文献１、２にも記載されているように公知であり、また、本発明は補正それ自体を特徴とするものではないので、ここでは詳細な説明は割愛する。水平ドライブ信号の振幅が上記のように補正される結果、図５で示したような樽形の画像歪み５１の発生が防止される。なお、図２において、可変抵抗ＶＲは水平補正信号のレベル調整用の抵抗であって、テレビジョン受像機１００の製造段階では、水平補正信号の振幅が所定の基準映像に対して画像歪みを生じさせないような値となるよう、可変抵抗ＶＲの調整が行われる。
【００２１】
次に、本発明の特徴であるクリップ回路２０の作用について説明する。上述したように、水平振幅補正回路８には、垂直偏向回路５で生成された垂直ドライブ信号が入力される。ここで、クリップ回路２０のダイオードＤ１、Ｄ２のスレショルド電圧が、抵抗Ｒ１を介してダイオードＤ１、Ｄ２に印加される垂直ドライブ信号の通常のレベル以下であると、ダイオードＤ１、Ｄ２は、垂直ドライブ信号の極性に応じていずれか一方が導通状態となる。
【００２２】
このため、ＣＲＴ４の画面の輝度変化が小さい状態では、垂直ドライブ信号のレベルは、抵抗Ｒ１とダイオードＤ１、Ｄ２のスレショルド電圧とで決まる一定レベルにクリップされる。そして、このクリップされた垂直ドライブ信号を基準として生成される水平補正信号が水平偏向回路６へ出力され、水平偏向回路６において水平ドライブ信号の補正が行われる。
【００２３】
一方、ＣＲＴ４の画面において映像が暗い映像から明るい映像に切り替わって急激な輝度変化が生じると、ＣＲＴ４の管内でビーム電流が急上昇して高圧変動が生じ、これに基因して垂直ドライブ信号の振幅が通常時よりも大きくなる。しかし、この場合も、抵抗Ｒ１を介してダイオードＤ１、Ｄ２に印加される垂直ドライブ信号のレベルが、ダイオードＤ１、Ｄ２のスレショルド電圧を超えるので、ダイオードＤ１、Ｄ２は、垂直ドライブ信号の極性に応じていずれか一方が導通状態となる。このため、垂直ドライブ信号のレベルは、抵抗Ｒ１とダイオードＤ１、Ｄ２のスレショルド電圧とで決まる一定レベルにクリップされる。そして、このクリップされた垂直ドライブ信号を基準として生成される水平補正信号が水平偏向回路６へ出力され、水平偏向回路６において水平ドライブ信号の補正が行われる。
【００２４】
このようにして、クリップ回路２０を設けると、垂直ドライブ信号の振幅の変動にかかわらず、水平補正信号の基準となる垂直ドライブ信号のレベルは常に一定となる。そこで、可変抵抗ＶＲを、クリップされた一定レベルの垂直ドライブ信号に対して画像歪みが生じないように調整しておけば、映像の輝度変化により垂直ドライブ信号の振幅が増大しても、水平補正信号の振幅は一定値、すなわち可変抵抗ＶＲで調整された値に維持される。したがって、水平補正信号の振幅の増大により補正が効き過ぎて画像歪みが発生するのを回避することができる。
【００２５】
図３は、図２のＡ点における垂直ドライブ信号の波形を示している。映像の輝度変化によって垂直ドライブ信号のレベルが大きくなった場合、クリップ回路２０を設けないとすると、垂直ドライブ信号は図３（ａ）のように、振幅Ｙ１の大きい波形となる。これに対して、本発明のようにクリップ回路２０を設けると、垂直ドライブ信号は図３（ｂ）のように、振幅Ｙ２が一定値に制限された波形となる。
【００２６】
図４は、図２のＢ点における水平補正信号の波形を示している。図４（ａ）は、クリップ回路２０を設けない場合の、図３（ａ）の垂直ドライブ信号に基づいて生成される水平補正信号であり、振幅Ｚ１の大きい波形となる。一方、図４（ｂ）は、クリップ回路２０を設けた場合の、図３（ｂ）の垂直ドライブ信号に基づいて生成される水平補正信号であり、振幅Ｚ２が一定値に制限された波形となる。
【００２７】
このようにして、水平振幅補正回路８にクリップ回路２０を設けることにより、ＣＲＴ４の画面上の映像が暗い映像から明るい映像に切り替わったときに、ビーム電流の増加により高圧変動が生じて垂直ドライブ信号の振幅が大きくなっても、当該振幅はクリップ回路２０により制限され、垂直ドライブ信号のレベルが一定値に抑えられる。したがって、垂直ドライブ信号に基づいて生成される水平補正信号の振幅も一定値に制限されるので、水平偏向回路６において水平ドライブ信号の振幅補正が過剰になり過ぎることがなく、ＣＲＴ４の画面上で画像歪みのない見やすい映像を得ることができる。
【００２８】
なお、画面の輝度変化による高圧変動をなくすためには、電源回路に対策を施すことも考えられるが、この場合は、ビーム電流の急激な増加に対して電圧を安定化させるための複雑な回路が必要となり、コストの上昇を招くことになる。しかるに、本実施形態のように、抵抗Ｒ１とダイオードＤ１、Ｄ２とからなるクリップ回路２０を設けて、垂直ドライブ信号のレベルを制限するようにすれば、電源回路には手を加えずに、簡単な回路を付加するだけで画像歪みを防止することが可能となり、コストを抑制することができる。
【００２９】
上述した実施形態では、クリップ回路２０を抵抗Ｒ１とダイオードＤ１、Ｄ２とで構成したが、本発明はこれに限定されるものではなく、例えばダイオードに代えてツェナーダイオード等の素子を用いることもできる。また、トランジスタを用いてクリップ回路２０を構成してもよい。
【００３０】
また、上記実施形態においては、水平補正信号を生成する水平振幅補正回路８として図２の回路を例に挙げたが、水平振幅補正回路８はこれ以外の回路であってもよい。例えば、図２では水平補正信号のレベルを調整するための可変抵抗ＶＲが設けられているが、本発明は、可変抵抗ＶＲを備えていない水平振幅補正回路に適用しても、水平補正信号のレベルを制限して画像歪みが生じるのを抑制できる効果がある。
【００３１】
さらに、図１においては、テレビジョン受像機１００として単体機を例に挙げたが、本発明はＤＶＤ（Ｄｉｇｉｔａｌ Ｖｅｒｓａｔｉｌｅ Ｄｉｓｋ）レコーダやビデオデッキ等を内蔵した複合型のテレビジョン受像機にも適用することができる。
【図面の簡単な説明】
【００３２】
【図１】本発明の実施形態に係るテレビジョン受像機の電気的構成を示したブロック図である。
【図２】水平振幅補正回路の具体例を示す図である。
【図３】垂直ドライブ信号の波形図である。
【図４】水平補正信号の波形図である。
【図５】樽形の画像歪みを示す図である。
【符号の説明】
【００３３】
４    ＣＲＴ
５    垂直偏向回路
６    水平偏向回路
８    水平振幅補正回路
２０  クリップ回路
１００  テレビジョン受像機
Ｑ１〜Ｑ３  トランジスタ
Ｒ１〜Ｒ１５  抵抗
ＶＲ  可変抵抗
Ｃ１〜Ｃ４  コンデンサ
Ｄ１〜Ｄ４  ダイオード
【図１】
2007243443.tif 000003
【図２】
2007243443.tif 000004
【図３】
2007243443.tif 000005
【図４】
2007243443.tif 000006
【図５】
2007243443.tif 000007